【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
像担持体と、露光により前記像担持体に静電潜像を形成する露光装置と、
現像剤を収容する現像剤容器と、前記現像剤容器に収容された現像剤を前記像担持体上に供給することにより、前記静電潜像を可視化し、前記像担持体上に現像剤像を形成する現像剤担持体と、を備える現像装置と、
前記現像剤像を記録媒体又は中間転写体に転写する転写装置と、
転写後に前記像担持体上に残留した現像剤を除去するクリーニング部材と、除去された現像剤を回収する回収容器と、を備えるクリーニング装置と、
を有する画像形成装置において、
前記現像剤容器に存在する現像剤量を測定する測定装置と、
前記現像剤容器から前記像担持体に供給される現像剤量を算出する第１の算出手段と、
前記記録媒体又は前記中間転写体に転写された現像剤量を算出する第２の算出手段と、
前記第１の算出手段によって算出された現像剤量と、前記第２の算出手段によって算出された現像剤量とに基づいて前記回収容器内に蓄積した現像剤の量に関する情報信号を発信する制御部と、を備え、
前記第１の算出手段は、画像形成後に前記測定装置により測定される現像剤量と、前記現像剤容器に初めから存在した現像剤量とから、前記現像剤容器内から前記像担持体に供給される現像剤量を算出し、
前記制御部は、前記第１の算出手段によって算出された現像剤量と、前記第２の算出手段によって算出された現像剤量とに基づいて前記回収容器内に蓄積した現像剤の量に関する情報信号を発信することを特徴とする画像形成装置。
【請求項２】
前記測定装置は、前記現像剤容器に電極を備え、前記電極の間の静電容量を測定することにより前記現像剤容器内に存在する現像剤量を測定することを特徴とする請求項１に記載の画像形成装置。
【請求項３】
前記測定装置は、前記現像剤容器内を通過する光を検知することで、前記現像剤容器内に存在する現像剤量を測定することを特徴とする請求項１に記載の画像形成装置。
【請求項４】
所定の濃度を再現するための１画素中における前記静電潜像が形成される領域の面積と、前記所定の濃度を再現するための１画素中における前記静電潜像が形成される領域に対
して供給される現像剤量と前記転写される現像剤の割合との積と、が予め記憶される第１の記憶手段を有し、
前記第２の算出手段は、前記面積と、前記積との積の総和を演算することにより前記転写された現像剤量を算出することを特徴とする請求項１から３のいずれか１項に記載の画像形成装置。
【請求項５】
画像形成装置の使用状態を記憶する第２の記憶手段を有し、
前記使用状態に基づいて、画像形成毎に前記回収容器に蓄積する現像剤の蓄積量の平均値を算出し、
前記平均値と、前記使用状態における前記回収容器の空き容積に基づいて、前記回収容器が現像剤で満杯になるまで、残り何枚の記録媒体に画像形成が可能か予測することを特徴とする請求項１から４のいずれか１項に記載の画像形成装置。
【請求項６】
情報を表示するための表示部を備え、前記情報信号に基づいて前記表示部に警告を表示する請求項１から５のいずれか１項に記載の画像形成装置。
【請求項７】
前記制御部は、前記情報信号に基づいて画像形成装置の画像形成の動作を停止させることを特徴とする請求項１から５のいずれか１項に記載の画像形成装置。
【請求項８】
像担持体と、
現像剤を収容する現像剤容器と、前記現像剤容器に収容された現像剤を前記像担持体上に供給することにより、前記静電潜像を可視化し、前記像担持体上に現像剤像を形成する現像剤担持体と、を備える現像装置と、
前記現像剤像を記録媒体又は中間転写体に転写する転写装置と、
転写後に前記像担持体上に残留した現像剤を除去するクリーニング部材と、除去された現像剤を回収する回収容器と、を備えるクリーニング装置と、
を有する画像形成装置において、
前記現像剤容器に存在する現像剤量を測定する測定装置と、
前記現像剤容器から前記像担持体に供給される現像剤量を算出する第１の算出手段と、
前記記録媒体又は前記中間転写体に転写された現像剤量を算出する第２の算出手段と、
前記第１の算出手段によって算出された現像剤量と、前記第２の算出手段によって算出された現像剤量とに基づいて前記回収容器内に蓄積した現像剤の量に関する情報信号を発信する制御部と、を備え、
前記第１の算出手段は、画像形成後に前記測定装置により測定される現像剤量と、前記現像剤容器に初めから存在した現像剤量とから、前記現像剤容器内から前記像担持体に供給される現像剤量を算出し、
前記制御部は、前記第１の算出手段によって算出された現像剤量と、前記第２の算出手段によって算出された現像剤量とに基づいて前記回収容器内に蓄積した現像剤の量に関する情報信号を発信することを特徴とする画像形成装置。
【請求項９】
所定の濃度を再現するための１画素中における前記静電潜像が形成される領域の面積と、前記所定の濃度を再現するための１画素中における前記静電潜像が形成される領域に対して供給される現像剤量と前記転写される現像剤の割合との積と、が予め記憶される第１の記憶手段を有し、
前記第２の算出手段は、前記面積と、前記積との積の総和を演算することにより前記転写された現像剤量を算出することを特徴とする請求項８に記載の画像形成装置。
【請求項１０】
像担持体と、
現像剤を収容する現像剤容器と、前記現像剤容器に収容された現像剤を前記像担持体上に供給することにより、前記静電潜像を可視化し、前記像担持体上に現像剤像を形成する
現像剤担持体と、を備える現像装置と、
前記現像剤像を記録媒体又は中間転写体に転写する転写装置と、
転写後に前記像担持体上に残留した現像剤を除去するクリーニング部材と、除去された現像剤を回収する回収容器と、を備えるクリーニング装置と、
を有する画像形成装置において、
前記現像剤容器に存在する現像剤量を測定する測定装置と、
前記現像剤容器から前記像担持体に供給される第１の現像剤量と、記録媒体又は前記中間転写体に転写された第２の現像剤量とに基づいて、前記回収容器内に蓄積した現像剤の量に関する情報信号を発信する制御部と、を備え、
前記第１の現像剤量は、画像形成動作の後に前記測定装置によって測定された現像剤量と、前記現像剤容器に初めから存在した現像剤量とに基づいて決定され、
前記第２の現像剤量は、前記現像剤容器から前記像担持体上の前記静電潜像に供給された現像剤の量と、前記像担持体上の前記静電潜像に供給された現像剤のうち記録媒体又は前記中間転写体に転写された現像剤の割合である転写効率とに基づいて決定されることを特徴とする画像形成装置。
【請求項１１】
所定の濃度を再現するための１画素中における前記静電潜像が形成される領域の面積と、前記所定の濃度を再現するための１画素中における前記静電潜像が形成される領域に対して供給される現像剤量と前記転写される現像剤の割合との積と、が予め記憶される第１の記憶手段を有し、
前記転写された現像剤量は、前記面積と、前記積との積の総和を演算することにより算出されることを特徴とする請求項１０に記載の画像形成装置。
【請求項１２】
画像形成装置の使用状態を記憶する第２の記憶手段を有し、
前記使用状態に基づいて、画像形成毎に前記回収容器に蓄積する現像剤の蓄積量の平均値を算出し、
前記平均値と、前記使用状態における前記回収容器の空き容積に基づいて、前記回収容器が現像剤で満杯になるまで、残り何枚の記録媒体に画像形成が可能か予測することを特徴とする請求項８から１１のいずれか１項に記載の画像形成装置。
【請求項１３】
前記測定装置は、前記現像剤容器に電極を備え、前記電極の間の静電容量を測定することにより前記現像剤容器内に存在する現像剤量を測定することを特徴とする請求項８から１２のいずれか１項に記載の画像形成装置。
【請求項１４】
前記測定装置は、前記現像剤容器内を通過する光を検知することで、前記現像剤容器内に存在する現像剤量を測定することを特徴とする請求項８から１２のいずれか1項に記載の画像形成装置。
【請求項１５】
情報を表示するための表示部を備え、前記情報信号に基づいて前記表示部に警告を表示する請求項８から１４のいずれか１項に記載の画像形成装置。
【請求項１６】
前記制御部は、前記情報信号に基づいて前記画像形成装置の画像形成の動作を停止させることを特徴とする請求項８から１５のいずれか１項に記載の画像形成装置。
【請求項１７】
露光により前記像担持体に静電潜像を形成する露光装置を有することを特徴とする請求項８から１６のいずれか１項に記載の画像形成装置。
【請求項１８】
前記回収容器に回収される現像剤の量は、
消費される現像剤のうち、前記像担持体における静電潜像が形成される領域以外の領域に付着する現像剤であって、画像形成に使用されることのない現像剤であるカブリトナー
の量と、
前記現像剤像が記録媒体又は前記中間転写体に転写された後に前記像担持体上に残留する現像剤である転写残トナーの量と、
に基づいて算出されることを特徴とする請求項８から１７のいずれか１項に記載の画像形成装置。
【請求項１９】
前記カブリトナーの量は、前記現像剤容器から前記像担持体に供給される現像剤量に基づいて算出されることを特徴とする請求項１８に記載の画像形成装置。
【請求項２０】
前記転写残トナーの量は、記録媒体又は前記中間転写体に転写された現像剤量に基づいて算出されることを特徴とする請求項１８または１９に記載の画像形成装置。
【手続補正２】
【補正対象書類名】明細書
【補正対象項目名】０００６
【補正方法】変更
【補正の内容】
【０００６】
上記目的を達成するため、像担持体と、露光により前記像担持体上に静電潜像を形成する露光装置と、現像剤を収容する現像剤容器と、前記現像剤容器に収容された現像剤を前記像担持体上に供給することにより、前記静電潜像を可視化し、前記像担持体上に現像剤像を形成する現像剤担持体と、を備える現像装置と、前記現像剤像を記録媒体又は中間転写体に転写する転写装置と、転写後に前記像担持体上に残留した現像剤を除去するクリーニング部材と、除去された現像剤を回収する回収容器と、を備えるクリーニング装置と、を有する画像形成装置において、前記現像剤容器内に存在する現像剤量を測定する測定装置と、前記現像剤容器内から前記像担持体に供給される現像剤量を算出する第１の算出手段と、前記記録媒体又は前記中間転写体に転写された現像剤量を算出する第２の算出手段と、前記第１の算出手段によって算出された現像剤量と、前記第２の算出手段によって算出された現像剤量とに基づいて前記回収容器内に蓄積した現像剤の量に関する情報信号を発信する制御部と、を備え、前記第１の算出手段は、画像形成後に前記測定装置により測定される現像剤量と、前記現像剤容器に初めから存在した現像剤量とから、前記現像剤容器内から前記像担持体に供給される現像剤量を算出し、前記制御部は、前記第１の算出手段によって算出された現像剤量と、前記第２の算出手段によって算出された現像剤量とに基づいて前記回収容器内に蓄積した現像剤の量に関する情報信号を発信することを特徴とする。
また、上記目的を達成するため、像担持体と、現像剤を収容する現像剤容器と、前記現像剤容器に収容された現像剤を前記像担持体上に供給することにより、前記静電潜像を可視化し、前記像担持体上に現像剤像を形成する現像剤担持体と、を備える現像装置と、前記現像剤像を記録媒体又は中間転写体に転写する転写装置と、転写後に前記像担持体上に残留した現像剤を除去するクリーニング部材と、除去された現像剤を回収する回収容器と、を備えるクリーニング装置と、を有する画像形成装置において、前記現像剤容器に存在する現像剤量を測定する測定装置と、前記現像剤容器から前記像担持体に供給される現像剤量を算出する第１の算出手段と、前記記録媒体又は前記中間転写体に転写された現像剤量を算出する第２の算出手段と、前記第１の算出手段によって算出された現像剤量と、前記第２の算出手段によって算出された現像剤量とに基づいて前記回収容器内に蓄積した現像剤の量に関する情報信号を発信する制御部と、を備え、前記第１の算出手段は、画像形成後に前記測定装置により測定される現像剤量と、前記現像剤容器に初めから存在した現像剤量とから、前記現像剤容器内から前記像担持体に供給される現像剤量を算出し、前記制御部は、前記第１の算出手段によって算出された現像剤量と、前記第２の算出手段によって算出された現像剤量とに基づいて前記回収容器内に蓄積した現像剤の量に関する情報信号を発信することを特徴とする。
また、上記目的を達成するため、像担持体と、現像剤を収容する現像剤容器と、前記現像剤容器に収容された現像剤を前記像担持体上に供給することにより、前記静電潜像を可視化し、前記像担持体上に現像剤像を形成する現像剤担持体と、を備える現像装置と、前記現像剤像を記録媒体又は中間転写体に転写する転写装置と、転写後に前記像担持体上に残留した現像剤を除去するクリーニング部材と、除去された現像剤を回収する回収容器と、を備えるクリーニング装置と、を有する画像形成装置において、前記現像剤容器に存在する現像剤量を測定する測定装置と、前記現像剤容器から前記像担持体に供給される第１の現像剤量と、記録媒体又は前記中間転写体に転写された第２の現像剤量とに基づいて、前記回収容器内に蓄積した現像剤の量に関する情報信号を発信する制御部と、を備え、前記第１の現像剤量は、画像形成動作の後に前記測定装置によって測定された現像剤量と、前記現像剤容器に初めから存在した現像剤量とに基づいて決定され、前記第２の現像剤量は、前記現像剤容器から前記像担持体上の前記静電潜像に供給された現像剤の量と、前記像担持体上の前記静電潜像に供給された現像剤のうち記録媒体又は前記中間転写体に転写された現像剤の割合である転写効率とに基づいて決定されることを特徴とする。